(57)【特許請求の範囲】
【請求項１】
テレビカメラの光学レンズの焦点調整を行うために映像信号が映し出されるビューファインダと、
前記光学レンズを通じて入力された光学信号から映像信号及び輪郭補正信号を作成する映像信号及び輪郭補正信号作成手段と、
前記ビューファインダの画面中にフォーカスエリアを設定するフォーカスエリア設定手段と、
前記光学レンズの焦点調整時には、前記映像信号及び輪郭補正信号作成手段によって作成された映像信号の前記フォーカスエリア内の信号レベルを減少するとともに、前記映像信号及び輪郭補正信号作成手段によって作成された映像信号の前記フォーカスエリア外の信号レベルをそのままにして、前記映像信号及び輪郭補正信号作成手段によって作成された映像信号と輪郭補正信号との混合信号を作成する混合信号作成手段と、
前記混合信号から輝度信号を作成する輝度信号作成手段と、
前記光学レンズの焦点調整時には、前記輝度信号が前記ビューファインダに供給されるように制御する制御手段とを具えることを特徴とするビューファインダ表示回路。
【請求項２】
前記混合信号作成手段が、
前記映像信号及び輪郭補正信号作成手段によって作成された映像信号を減衰する減衰器と、
前記映像信号及び輪郭補正信号作成手段によって作成された映像信号が入力される第１入力部及び前記減衰器によって減衰された映像信号が入力される第２入力部を有し、前記光学レンズの焦点調整時であるとともに被写体が前記フォーカスエリア内にあるときには前記減衰器によって減衰された映像信号を出力し、前記光学レンズの焦点調整時でない又は被写体が前記フォーカスエリア外にあるときには前記映像信号及び輪郭補正信号作成手段によって作成された映像信号を出力するように切換を行う第１切換器と、
前記第１切換器の出力と前記輪郭補正信号とを混合する混合器と、
前記第１切換器の出力が入力される第１入力部及び前記混合器の出力が入力される第２入力部を有し、前記光学レンズの焦点調整時には前記混合器の出力を出力し、前記光学レンズの焦点調整時でないときには前記第１切換器の出力を出力するように切換を行う第２切換器とを有することを特徴とする請求項１記載のビューファインダ表示回路。
【請求項３】
前記映像信号がデジタル映像信号であり、前記減衰器をシフトレジスタとしたことを特徴とする請求項２記載のビューファインダ表示回路。
【請求項４】
前記光学レンズの焦点調整時を、前記光学レンズのフォーカスリングの回転時又は前記テレビカメラの操作項目による焦点調整選択時としたことを特徴とする請求項１から３のうちのいずれか１項に記載のビューファインダ表示回路。
【請求項５】
前記フォーカスエリアが、前記ビューファインダの画面の中心を基準として画面全体まで可変であることを特徴とする請求項１から４のうちのいずれか１項に記載のビューファインダ表示回路。
【請求項６】
テレビカメラの光学レンズの焦点調整を行うために映像信号が映し出されるビューファインダと、
前記光学レンズを通じて入力された光学信号から映像信号及び輪郭補正信号を作成する映像信号及び輪郭補正信号作成手段と、
前記ビューファインダの画面中にフォーカスエリアを設定するフォーカスエリア設定手段と、
前記映像信号から輝度信号を作成する輝度信号作成手段と、
前記光学レンズの焦点調整時には、前記輝度信号の前記フォーカスエリア内の信号レベルを減少するとともに、前記輝度信号の前記フォーカスエリア外の信号レベルをそのままにして、前記輝度信号と前記輪郭補正信号との混合信号を作成する混合信号作成手段と、
前記光学レンズの焦点調整時には、前記混合信号が前記ビューファインダに供給されるように制御する制御手段とを具えることを特徴とするビューファインダ表示回路。
【請求項７】
前記混合信号作成手段が、
前記輝度信号作成手段によって作成された輝度信号を減衰する減衰器と、
前記輝度信号作成手段によって作成された輝度信号が入力される第１入力部及び前記減衰器によって減衰された輝度信号が入力される第２入力部を有し、前記光学レンズの焦点調整時であるとともに被写体が前記フォーカスエリア内にあるときには前記減衰器によって減衰された輝度信号を出力し、前記光学レンズの焦点調整時でない又は被写体が前記フォーカスエリア外にあるときには前記輝度信号作成手段によって作成された輝度信号を出力するように切換を行う第１切換器と、
前記第１切換器の出力と前記輪郭補正信号とを混合する混合器と、
前記第１切換器の出力が入力される第１入力部及び前記混合器の出力が入力される第２入力部を有し、前記光学レンズの焦点調整時には前記混合器の出力を出力し、前記光学レンズの焦点調整時でないときには前記第１切換器の出力を出力するように切換を行う第２切換器とを有することを特徴とする請求項６記載のビューファインダ表示回路。
【請求項８】
前記映像信号がデジタル映像信号であり、前記減衰器をシフトレジスタとしたことを特徴とする請求項７記載のビューファインダ表示回路。
【請求項９】
前記光学レンズの焦点調整時を、前記光学レンズのフォーカスリングの回転時又は前記テレビカメラの操作項目による焦点調整選択時としたことを特徴とする請求項６から８のうちのいずれか１項に記載のビューファインダ表示回路。
【請求項１０】
前記フォーカスエリアが、前記ビューファインダの画面の中心を基準として画面全体まで可変であることを特徴とする請求項６から９のうちのいずれか１項に記載のビューファインダ表示回路。
【請求項１１】
テレビカメラの光学レンズを通じて入力された光学信号から映像信号及び輪郭補正信号を作成する映像信号及び輪郭補正信号作成ステップと、
光学レンズの焦点調整を行うために映像信号が映し出されるビューファインダの画面中にフォーカスエリアを設定するフォーカスエリア設定ステップと、
前記光学レンズの焦点調整時には、前記映像信号及び輪郭補正信号作成ステップで作成された映像信号の前記フォーカスエリア内の信号レベルを減少するとともに、前記映像信号及び輪郭補正信号作成ステップで作成された映像信号の前記フォーカスエリア外の信号レベルをそのままにして、前記映像信号及び輪郭補正信号作成ステップで作成された映像信号と輪郭補正信号との混合信号を作成する混合信号作成ステップと、
前記混合信号から輝度信号を作成する輝度信号作成ステップと、
前記光学レンズの焦点調整時には、前記輝度信号が前記ビューファインダに供給されるように制御する制御ステップとを具えることを特徴とするビューファインダ表示方法。
【請求項１２】
テレビカメラの光学レンズを通じて入力された光学信号から映像信号及び輪郭補正信号を生成する映像信号及び輪郭補正信号生成ステップと、
光学レンズの焦点調整を行うために映像信号が映し出されるビューファインダの画面中にフォーカスエリアを設定するフォーカスエリア設定ステップと、
前記映像信号から輝度信号を作成する輝度信号作成ステップと、
前記光学レンズの焦点調整時には、前記輝度信号の前記フォーカスエリア内の信号レベルを減少するとともに、前記輝度信号の前記フォーカスエリア外の信号レベルをそのままにして、前記輝度信号と前記輪郭補正信号との混合信号を作成する混合信号作成ステップと、
前記光学レンズの焦点調整時には、前記混合信号が前記ビューファインダに供給されるように制御する制御ステップとを具えることを特徴とするビューファインダ表示方法。
【発明の詳細な説明】
【技術分野】
【０００１】
本発明は、放送局のスタジオなどで使用するテレビカメラの光学レンズを手動で回転することによって焦点調整を行うときに、テレビカメラのビューファインダに映像信号を表示するビューファインダ表示回路及び方法に関する。
【背景技術】
【０００２】
放送局のスタジオでは、放送用テレビカメラの光学レンズがカメラマンによって操作されることによって、鮮明な放送用映像が送出される。放送用テレビカメラは、Ｒチャンネル用、Ｇチャンネル用及びＢチャンネル用の３種類の固体撮像素子（ＣＣＤ：Charge Coupled Device）を有し、これら３種類の固体撮像素子によって得られた撮像信号に基づいて輪郭補正信号を作成し、作成された輪郭補正信号（ＤＴＬ：Detail）を撮像信号に付加して送出する。
【０００３】
従来、放送用テレビカメラを操作するカメラマンが映像信号をビューファインダに映し、ビューファインダに映し出された映像信号を見ながら焦点調整及びその他の調整動作を行うために、ビューファインダ表示回路が提案されている（例えば、特許文献１）。ビューファインダに映し出される映像信号は、一般的に輪郭補正された映像信号、すなわち、作成された輪郭補正信号が付加された撮像信号である。
【０００４】
図８は、従来のビューファインダ表示回路のブロック図である。このビューファインダ表示回路は、ＣＣＤ部８０１と、カメラ信号処理部８０２と、ピーキング処理部８０３と、増幅器８０４と、混合器８０５と、ビューファインダ（ＶＦ：View Finder）８０６と、レンズ制御部８０７とを具える。
【０００５】
ＣＣＤ部８０１は、Ｒチャネル用、Ｇチャネル用及びＢチャネル用の３種類の固体撮像素子を有する。カメラ処理部８０２は、ＣＣＤ部８０１の出力から映像信号を作成し、作成した映像信号をカメラ出力信号として出力する。また、カメラ処理部８０２は、ＣＣＤ部８０１からの出力に基づいて輪郭補正信号ＤＴＬも作成する。
【０００６】
ピーキング処理部８０３は、入力された映像信号のピーキング処理を行う。増幅器８０４は、入力された輪郭補正信号ＤＴＬを所定レベルに増幅する。混合器８０５は、ピーキング処理が行われた映像信号及び増幅された輪郭補正信号ＤＴＬを混合する。ＶＦ８０６は、混合された映像信号を表示する。すなわち、輪郭補正された映像信号がＶＦ８０６に表示される。
【０００７】
カメラマンは、ピーキング処理部８０３のボリューム及び増幅部８０４のボリュームによりレベルを調整し、ＶＦ８０６に表示される輪郭を強調した映像を見て焦点（フォーカス）を合わせやすくするために、レンズ制御部８０７による焦点（フォーカス）調整を行う。なお、ＶＦ８０６の焦点調整部分は、一般的に画面の見やすい部分となる画面の中心となる。
【特許文献１】特開２００２−１８５８２１号公報
【発明の開示】
【発明が解決しようとする課題】
【０００８】
既に説明したように、カメラマンは、ピーキング処理部８０３のレベル及び増幅部８０４のレベルを調整しながら、フォーカスの合わせやすい映像をＶＦ８０６に表示している。ピーキング処理部８０３のレベルは、アナログ的に水平方向成分だけで処理しているので、急峻なフィルタ処理を行うことができず、ピーキング処理部８０３のレベルを上げすぎると、ＤＴＬだけでなく強調しなくてもいい信号（例えば、ノイズ）まで強調してしまうことがあり、かえって見にくい映像となってしまう。
【０００９】
ピーキング処理部８０３は、映像信号と輪郭信号のコントラスト差が出るように輪郭信号を見やすくするものであり、輪郭補正信号ＤＴＬの増幅部８０４のレベル調整だけでは輪郭補正信号ＤＴＬのみを強調することができない。すなわち、ピーキング処理部８０３のレベル調整とバランスを取りながら輪郭補正信号ＤＴＬのレベル調整を行い、輪郭補正信号ＤＴＬのみを強調するように調整するには、かなりの熟練が必要となる。
【００１０】
本発明の目的は、テレビカメラの焦点合わせにおいて、焦点合わせを行いやすい映像信号を提供し、焦点合わせを簡単に行うことができるビューファインダ表示回路及び方法を提供することである。
【課題を解決するための手段】
【００１１】
請求項１によるビューファインダ表示回路は、
テレビカメラの光学レンズの焦点調整を行うために映像信号が映し出されるビューファインダと、
前記光学レンズを通じて入力された光学信号から映像信号及び輪郭補正信号を作成する映像信号及び輪郭補正信号作成手段と、
前記ビューファインダの画面中にフォーカスエリアを設定するフォーカスエリア設定手段と、
前記光学レンズの焦点調整時には、前記映像信号及び輪郭補正信号作成手段によって作成された映像信号の前記フォーカスエリア内の信号レベルを減少するとともに、前記映像信号及び輪郭補正信号作成手段によって作成された映像信号の前記フォーカスエリア外の信号レベルをそのままにして、前記映像信号及び輪郭補正信号作成手段によって作成された映像信号と輪郭補正信号との混合信号を作成する混合信号作成手段と、
前記混合信号から輝度信号を作成する輝度信号作成手段と、
前記光学レンズの焦点調整時には、前記輝度信号が前記ビューファインダに供給されるように制御する制御手段とを具えることを特徴とする。
【００１２】
請求項２によるビューファインダ表示回路は、
前記混合信号作成手段が、
前記映像信号及び輪郭補正信号作成手段によって作成された映像信号を減衰する減衰器と、
前記映像信号及び輪郭補正信号作成手段によって作成された映像信号が入力される第１入力部及び前記減衰器によって減衰された映像信号が入力される第２入力部を有し、前記光学レンズの焦点調整時であるとともに被写体が前記フォーカスエリア内にあるときには前記減衰器によって減衰された映像信号を出力し、前記光学レンズの焦点調整時でない又は被写体が前記フォーカスエリア外にあるときには前記映像信号及び輪郭補正信号作成手段によって作成された映像信号を出力するように切換を行う第１切換器と、
前記第１切換器の出力と前記輪郭補正信号とを混合する混合器と、
前記第１切換器の出力が入力される第１入力部及び前記混合器の出力が入力される第２入力部を有し、前記光学レンズの焦点調整時には前記混合器の出力を出力し、前記光学レンズの焦点調整時でないときには前記第１切換器の出力を出力するように切換を行う第２切換器とを有することを特徴とする。
【００１３】
請求項３によるビューファインダ表示回路は、
前記映像信号がデジタル映像信号であり、前記減衰器をシフトレジスタとしたことを特徴とする。
【００１４】
請求項４によるビューファインダ表示回路は、
前記光学レンズの焦点調整時を、前記光学レンズのフォーカスリングの回転時又は前記テレビカメラの操作項目による焦点調整選択時としたことを特徴とする。
【００１５】
請求項５によるビューファインダ表示回路は、
前記フォーカスエリアが、前記ビューファインダの画面の中心を基準として画面全体まで可変であることを特徴とする。
【００１６】
請求項６によるビューファインダ表示回路は、
テレビカメラの光学レンズの焦点調整を行うために映像信号が映し出されるビューファインダと、
前記光学レンズを通じて入力された光学信号から映像信号及び輪郭補正信号を作成する映像信号及び輪郭補正信号作成手段と、
前記ビューファインダの画面中にフォーカスエリアを設定するフォーカスエリア設定手段と、
前記映像信号から輝度信号を作成する輝度信号作成手段と、
前記光学レンズの焦点調整時には、前記輝度信号の前記フォーカスエリア内の信号レベルを減少するとともに、前記輝度信号の前記フォーカスエリア外の信号レベルをそのままにして、前記輝度信号と前記輪郭補正信号との混合信号を作成する混合信号作成手段と、
前記光学レンズの焦点調整時には、前記混合信号が前記ビューファインダに供給されるように制御する制御手段とを具えることを特徴とする。
【００１７】
請求項７によるビューファインダ表示回路は、
前記混合信号作成手段が、
前記輝度信号作成手段によって作成された輝度信号を減衰する減衰器と、
前記輝度信号作成手段によって作成された輝度信号が入力される第１入力部及び前記減衰器によって減衰された輝度信号が入力される第２入力部を有し、前記光学レンズの焦点調整時であるとともに被写体が前記フォーカスエリア内にあるときには前記減衰器によって減衰された輝度信号を出力し、前記光学レンズの焦点調整時でない又は被写体が前記フォーカスエリア外にあるときには前記輝度信号作成手段によって作成された輝度信号を出力するように切換を行う第１切換器と、
前記第１切換器の出力と前記輪郭補正信号とを混合する混合器と、
前記第１切換器の出力が入力される第１入力部及び前記混合器の出力が入力される第２入力部を有し、前記光学レンズの焦点調整時には前記混合器の出力を出力し、前記光学レンズの焦点調整時でないときには前記第１切換器の出力を出力するように切換を行う第２切換器とを有することを特徴とする。
【００１８】
請求項８によるビューファインダ表示回路は、
前記映像信号がデジタル映像信号であり、前記減衰器をシフトレジスタとしたことを特徴とする。
【００１９】
請求項９によるビューファインダ表示回路は、
前記光学レンズの焦点調整時を、前記光学レンズのフォーカスリングの回転時又は前記テレビカメラの操作項目による焦点調整選択時としたことを特徴とする。
【００２０】
請求項１０によるビューファインダ表示回路は、
前記フォーカスエリアが、前記ビューファインダの画面の中心を基準として画面全体まで可変であることを特徴とする。
【００２１】
請求項１１によるビューファインダ表示方法は、
テレビカメラの光学レンズを通じて入力された光学信号から映像信号及び輪郭補正信号を作成する映像信号及び輪郭補正信号作成ステップと、
光学レンズの焦点調整を行うために映像信号が映し出されるビューファインダの画面中にフォーカスエリアを設定するフォーカスエリア設定ステップと、
前記光学レンズの焦点調整時には、前記映像信号及び輪郭補正信号作成ステップで作成された映像信号の前記フォーカスエリア内の信号レベルを減少するとともに、前記映像信号及び輪郭補正信号作成ステップで作成された映像信号の前記フォーカスエリア外の信号レベルをそのままにして、前記映像信号及び輪郭補正信号作成ステップで作成された映像信号と輪郭補正信号との混合信号を作成する混合信号作成ステップと、
前記混合信号から輝度信号を作成する輝度信号作成ステップと、
前記光学レンズの焦点調整時には、前記輝度信号が前記ビューファインダに供給されるように制御する制御ステップとを具えることを特徴とする。
【００２２】
請求項１２によるビューファインダ表示方法は、
テレビカメラの光学レンズを通じて入力された光学信号から映像信号及び輪郭補正信号を生成する映像信号及び輪郭補正信号生成ステップと、
光学レンズの焦点調整を行うために映像信号が映し出されるビューファインダの画面中にフォーカスエリアを設定するフォーカスエリア設定ステップと、
前記映像信号から輝度信号を作成する輝度信号作成ステップと、
前記光学レンズの焦点調整時には、前記輝度信号の前記フォーカスエリア内の信号レベルを減少するとともに、前記輝度信号の前記フォーカスエリア外の信号レベルをそのままにして、前記映像信号と前記輪郭補正信号との混合信号を作成する混合信号作成ステップと、
前記光学レンズの焦点調整時には、前記輝度信号が前記ビューファインダに供給されるように制御する制御ステップとを具えることを特徴とする。
【発明の効果】
【００２３】
請求項１によるビューファインダ表示回路によれば、光学レンズの焦点調整時、すなわち、テレビカメラの光学レンズを手動で回転し、テレビカメラのビィーファインダの出力映像信号を見ながら焦点調整を行うときには、映像信号及び輪郭補正信号作成手段によって作成された映像信号のフォーカスエリア内の信号レベルを減少するとともに、映像信号及び輪郭補正信号作成手段によって作成された映像信号のフォーカスエリア外の信号レベルをそのままにして、映像信号及び輪郭補正信号作成手段によって作成された映像信号と輪郭補正信号との混合信号を作成する。その後、混合信号から輝度信号が作成され、作成された輝度信号は、光学レンズの焦点調整時にビューファインダに供給される。このようにフォーカスエリア内のみ信号レベルが低減された輝度信号が得られるので、テレビカメラの焦点合わせにおいて、焦点合わせを行いやすい輝度信号を提供し、焦点合わせを簡単に行うことができる。また、焦点調整時に輝度信号が供給されるので、ビューファインダに表示される画像が白黒画像となり、階調がわかりやすくなり、かつ、輪郭部分もわかりやすくなるので、焦点が合わせやすい画像を得ることができる。
【００２４】
請求項２によるビューファインダ表示回路によれば、光学レンズの焦点調整時には混合器の出力を出力するので、輪郭補正信号が鮮明な映像信号でビューファインダの表示が行われるので、焦点合わせが行いやすくなり、より鮮明な画像が得られる効果を有する。また、光学レンズの焦点調整時でないときには、輪郭補正信号が付加されない映像信号が表示されるので、映像信号が更に見やすくなる効果を有する。
【００２５】
請求項３によるビューファインダ表示回路によれば、映像信号をシフトレジスタにより右シフトすることにより映像信号を５０％減衰させることができ、フォーカスエリアがより鮮明になる。また、デジタル映像信号の場合には１ビットシフトで対応できるので、回路を簡素化することができる。
【００２６】
請求項４によるビューファインダ表示回路によれば、光学レンズの焦点調整時を、光学レンズのフォーカスリングの回転時とすることによって、光学レンズの焦点動作に追随した調整用映像を得ることができる。また、光学レンズの焦点調整時を、テレビカメラの操作項目による焦点調整選択時とすることによって、光学レンズの焦点調整が光学レンズのフォーカスリングの回転に対応しない場合でも、光学レンズの焦点調整が有用になる。
【００２７】
請求項５によるビューファインダ表示回路によれば、フォーカスエリアが、ビューファインダの画面の中心を基準として画面全体まで可変であるので、被写体の最適な位置で焦点を合わせることが可能となり、焦点の合った鮮明な画像を得ることができる。
【００２８】
請求項６によるビューファインダ表示回路によれば、光学レンズの焦点調整時には、輝度信号のフォーカスエリア内の信号レベルを減少するとともに、輝度信号のフォーカスエリア外の信号レベルをそのままにして、輝度信号と輪郭補正信号との混合信号を作成する。混合信号は、光学レンズの焦点調整時にビューファインダに供給される。このようにフォーカスエリア内のみ信号レベルが低減された輝度信号が得られるので、テレビカメラの焦点合わせにおいて、焦点合わせを行いやすい輝度信号を提供し、焦点合わせを簡単に行うことができる。また、焦点調整時に輝度信号が供給されるので、ビューファインダに表示される画像が白黒画像となり、階調がわかりやすくなり、かつ、輪郭部分もわかりやすくなるので、焦点が合わせやすい画像を得ることができる。
【００２９】
請求項７によるビューファインダ表示回路によれば、光学レンズの焦点調整時には混合器の出力を出力するので、輪郭補正信号が鮮明な輝度信号でビューファインダの表示が行われるので、焦点合わせが行いやすくなり、より鮮明な画像が得られる効果を有する。また、光学レンズの焦点調整時でないときには、輪郭補正信号が付加されない輝度信号が表示されるので、輝度信号が更に見やすくなる効果を有する。
【００３０】
請求項８によるビューファインダ表示回路によれば、映像信号をシフトレジスタにより右シフトすることにより映像信号を５０％減衰させることができ、フォーカスエリアがより鮮明になる。また、デジタル映像信号の場合には１ビットシフトで対応できるので、回路を簡素化することができる。
【００３１】
請求項９によるビューファインダ表示回路によれば、光学レンズの焦点調整時を、光学レンズのフォーカスリングの回転時とすることによって、光学レンズの焦点動作に追随した調整用映像を得ることができる。また、光学レンズの焦点調整時を、テレビカメラの操作項目による焦点調整選択時とすることによって、光学レンズの焦点調整が光学レンズのフォーカスリングの回転に対応しない場合でも、光学レンズの焦点調整が有用になる。
【００３２】
請求項１０によるビューファインダ表示回路によれば、フォーカスエリアが、ビューファインダの画面の中心を基準として画面全体まで可変であるので、被写体の最適な位置で焦点を合わせることが可能となり、焦点の合った鮮明な画像を得ることができる。
【００３３】
請求項１１によるビューファインダ表示方法によれば、光学レンズの焦点調整時、すなわち、テレビカメラの光学レンズを手動で回転し、テレビカメラのビィーファインダの出力映像信号を見ながら焦点調整を行うときには、映像信号及び輪郭補正信号作成ステップで作成された映像信号のフォーカスエリア内の信号レベルを減少するとともに、映像信号及び輪郭補正信号作成ステップで作成された映像信号のフォーカスエリア外の信号レベルをそのままにして、映像信号及び輪郭補正信号作成ステップで作成された映像信号と輪郭補正信号との混合信号を作成する。その後、混合信号から輝度信号が作成され、作成された輝度信号は、光学レンズの焦点調整時にビューファインダに供給される。このようにフォーカスエリア内のみ信号レベルが低減された輝度信号が得られるので、テレビカメラの焦点合わせにおいて、焦点合わせを行いやすい輝度信号を提供し、焦点合わせを簡単に行うことができる。また、焦点調整時に輝度信号が供給されるので、ビューファインダに表示される画像が白黒画像となり、階調がわかりやすくなり、かつ、輪郭部分もわかりやすくなるので、焦点が合わせやすい画像を得ることができる。
【００３４】
請求項１２によるビューファインダ表示方法によれば、光学レンズの焦点調整時には、輝度信号のフォーカスエリア内の信号レベルを減少するとともに、輝度信号のフォーカスエリア外の信号レベルをそのままにして、輝度信号と輪郭補正信号との混合信号を作成する。混合信号は、光学レンズの焦点調整時にビューファインダに供給される。このようにフォーカスエリア内のみ信号レベルが低減された輝度信号が得られるので、テレビカメラの焦点合わせにおいて、焦点合わせを行いやすい輝度信号を提供し、焦点合わせを簡単に行うことができる。また、焦点調整時に輝度信号が供給されるので、ビューファインダに表示される画像が白黒画像となり、階調がわかりやすくなり、かつ、輪郭部分もわかりやすくなるので、焦点が合わせやすい画像を得ることができる。
【発明を実施するための最良の形態】
【００３５】
本発明によるビューファインダ表示回路及び方法の実施の形態を、図面を参照して詳細に説明する。
図１は、本発明によるビューファインダ表示回路の第１の実施の形態のブロック図である。このビューファインダ表示回路は、３板の放送用テレビカメラに用いられ、Ｒチャンネル用ＣＣＤ１０１と、Ｇチャンネル用ＣＣＤ１０２と、Ｂチャンネル用ＣＣＤ１０３と、レンズ制御部１０４と、カメラ信号処理部１０５と、フォーカスエリア設定部１０６と、ＶＦ処理部１０７，１０８，１０９と、輝度信号作成部１１０と、映像切換器１１１と、カラーＶＦ１１２とを具える。
【００３６】
本実施の形態において、カラーＶＦ１１２がビューファインダを構成し、Ｒチャンネル用ＣＣＤ１０１、Ｇチャンネル用ＣＣＤ１０２、Ｂチャンネル用ＣＣＤ１０３及びカメラ信号処理部１０５が、映像信号及び輪郭補正信号作成手段を構成し、フォーカスエリア設定部１０６が、フォーカスエリア設定手段を構成し、ＶＦ処理部１０７，１０８，１０９が混合信号作成手段を構成し、輝度信号作成部１１０が輝度信号作成手段を構成し、レンズ制御部１０４及び切換器１１１が制御手段を構成する。
【００３７】
本実施の形態の動作を説明する。Ｒチャンネル用ＣＣＤ１０１、Ｇチャンネル用ＣＣＤ１０２及びＢチャンネル用ＣＣＤ１０３はそれぞれ、光学レンズ（図示せず）を通じて入力された光学信号を光電変換する。カメラ信号処理部１０５は、光学信号を光電変換することによって得られた信号をＲチャンネル用の映像信号ＲＶ、Ｇチャンネル用の映像信号ＧＶ及びＢチャンネル用の映像信号ＢＶに変換するとともに、輪郭補正信号ＤＴＬを作成する。映像信号ＲＶ，ＧＶ，ＢＶは、カメラ出力信号として出力され、映像信号ＲＶ及び輪郭補正信号ＤＴＬがＶＦ処理部１０７に入力され、映像信号ＧＶ及び輪郭補正信号ＤＴＬがＶＦ処理部１０８に入力され、映像信号ＢＶ及び輪郭補正信号ＤＴＬがＶＦ処理部１０９に入力される。
【００３８】
輪郭補正信号ＤＴＬは、カメラ信号処理部１０５に含まれる従来の輪郭補正信号作成回路（図示せず）を用いて作成される。後に詳しく説明するＶＦ処理部１０７，１０８，１０９は、映像信号のレベルと輪郭補正信号ＤＴＬの付加についてフォーカスエリア設定部１０６やレンズ制御部１０４からの制御により切り換えて出力を行う。
【００３９】
レンズ制御部１０４は、光学レンズのフォーカスリングが回転しているときに、動作中であることを示す信号、すなわち、焦点調整時を示す信号を出力する。フォーカスエリア設定部１０６は、後に詳しく説明するように、撮像画面の中央部分を基準としてフォーカスエリアを設定するものであり、外部のボリューム（図示せず）等によりフォーカスエリアの大きさを変えることができる。また、フォーカスエリアを被写体に応じて変えることができる。
【００４０】
輝度信号作成部１１０は、ＶＦ処理部１０７，１０８，１０９の出力から輝度信号Ｙを作成する。ＶＦ処理部１０７，１０８，１０９は、Ｒ信号、Ｇ信号及びＢ信号でそれぞれ出力するので、輝度信号作成部１１０は、ＶＦ処理部１０７，１０８，１０９の信号を輝度信号作成の所定の比率で混合して、輝度信号Ｙを作成する。
【００４１】
映像切換器１１１は、レンズ制御部１０４が焦点調整時を示す信号を出力する場合には、輝度信号ＹをカラーＶＦ１１２に供給し、それ以外の場合には、ＶＦ処理部１０７，１０８，１０９の出力をカラーＶＦ１１２に供給するように切換を行う。
【００４２】
図２は、本発明によるビューファインダ表示回路の第２の実施の形態のブロック図である。このビューファインダ表示回路は、３板の放送用テレビカメラに用いられ、Ｒチャンネル用ＣＣＤ２０１と、Ｇチャンネル用ＣＣＤ２０２と、Ｂチャンネル用ＣＣＤ２０３と、レンズ制御部２０４と、カメラ信号処理部２０５と、輝度信号作成部２０６と、フォーカスエリア設定部２０７と、ＶＦ処理部２０８と、映像切換器２０９と、カラーＶＦ２１０とを具える。
【００４３】
本実施の形態において、カラーＶＦ２１０がビューファインダを構成し、Ｒチャンネル用ＣＣＤ２０１、Ｇチャンネル用ＣＣＤ２０２、Ｂチャンネル用ＣＣＤ２０３及びカメラ信号処理部２０５が、映像信号及び輪郭補正信号作成手段を構成し、フォーカスエリア設定部２０７が、フォーカスエリア設定手段を構成し、輝度信号作成部２０６が輝度信号作成手段を構成し、ＶＦ処理部２０８が混合信号作成手段を構成し、レンズ制御部２０４及び切換器２０９が制御手段を構成する。
【００４４】
本実施の形態の動作を説明する。Ｒチャンネル用ＣＣＤ２０１、Ｇチャンネル用ＣＣＤ２０２、Ｂチャンネル用ＣＣＤ２０３、レンズ制御部２０４、カメラ信号処理部２０５及びフォーカスエリア設定部２０７の構成及び動作は、図１のＲチャンネル用ＣＣＤ１０１、Ｇチャンネル用ＣＣＤ１０２、Ｂチャンネル用ＣＣＤ１０３、レンズ制御部１０４、カメラ信号処理部１０５及びフォーカスエリア設定部１０６と同一である。
【００４５】
輝度信号作成部１１０は、カメラ信号処理部２０５の映像出力である映像信号ＲＶ，ＧＶ，ＢＶを輝度信号作成の所定の比率で混合して、輝度信号Ｙを作成する。ＶＦ処理部２０８は、後に詳しく説明するように、輝度信号Ｙ及び輪郭補正信号ＤＴＬを入力信号としてレンズ制御部２０４及びフォーカスエリア設定部２０７の制御で動作する。
【００４６】
映像切換器２０９は、レンズ制御部２０４が焦点調整時を示す信号を出力する場合にはＶＦ処理部２０８の出力をカラーＶＦ２１０に供給し、それ以外の場合にはカメラ信号処理部２０５の出力である映像信号ＲＶ，ＧＶ，ＢＶをカラー２１０に供給するように切換を行う。
【００４７】
図３は、本発明によるビューファインダ表示回路の第３の実施の形態のブロック図である。このビューファインダ表示回路は、３板の放送用テレビカメラに用いられ、Ｒチャンネル用ＣＣＤ３０１と、Ｇチャンネル用ＣＣＤ３０２と、Ｂチャンネル用ＣＣＤ３０３と、レンズ制御部３０４と、カメラ信号処理部３０５と、フォーカスエリア設定部３０６と、ＶＦ処理部３０７と、映像切換器３０８と、カラーＶＦ３０９とを具える。
【００４８】
本実施の形態において、カラーＶＦ３０９がビューファインダを構成し、Ｒチャンネル用ＣＣＤ３０１、Ｇチャンネル用ＣＣＤ３０２、Ｂチャンネル用ＣＣＤ３０３及びカメラ信号処理部３０５が、映像信号及び輪郭補正信号作成手段を構成し、フォーカスエリア設定部３０６が、フォーカスエリア設定手段を構成し、ＶＦ処理部３０７が混合信号作成手段を構成し、レンズ制御部３０４及び切換器３０８が制御手段を構成する。
【００４９】
上記第１及び第２の実施の形態では、ＲＧＢ信号から作成した輝度信号を直接又はＶＦ処理部を通じてカラーＶＦに入力するように構成しているが、本実施の形態では、輝度信号を作成せず、ＲＧＢのうちのいずれかの信号に対して処理を行い、処理を行った信号をカラーＶＦに入力するように構成する。
【００５０】
本実施の形態の動作を説明する。Ｒチャンネル用ＣＣＤ３０１、Ｇチャンネル用ＣＣＤ３０２、Ｂチャンネル用ＣＣＤ３０３、レンズ制御部３０４、カメラ信号処理部３０５及びフォーカスエリア設定部３０６の構成及び動作は、図１のＲチャンネル用ＣＣＤ１０１、Ｇチャンネル用ＣＣＤ１０２、Ｂチャンネル用ＣＣＤ１０３、レンズ制御部１０４、カメラ信号処理部１０５及びフォーカスエリア設定部１０６と同一である。
【００５１】
ＶＦ処理部３０７は、後に詳しく説明するように、映像信号ＧＶ及び輪郭補正信号ＤＴＬを入力信号としてレンズ制御部３０４及びフォーカスエリア設定部３０６の制御で動作する。
【００５２】
映像切換器３０８は、レンズ制御部２０４が焦点調整時を示す信号を出力する場合にはＶＦ処理部３０７の出力をカラーＶＦ３０９に供給し、それ以外の場合にはカメラ信号処理部３０５の出力である映像信号ＲＶ，ＧＶ，ＢＶをカラーＶＦ３０９に供給するように切換を行う。
【００５３】
光学レンズの焦点調整時でないときには、通常の映像信号ＲＶ，ＧＶ，ＢＶをカラーＶＦ３０９に入力する。それに対して、光学レンズの焦点調整時には、ＶＦ処理部３０７の出力を３チャンネル同時にカラーＶＦ３０９に入力する。ＧＶ信号は、光学レンズの焦点調整時には、処理された信号となり、光学レンズの焦点調整時でないときには、通常の映像信号としてＶＦ処理部３０７から出力される。
【００５４】
図４は、ＶＦ処理部を詳細に示す図である。このＶＦ処理部は、減衰器４０１と、第１切換器４０２と、混合器４０３と、第２切換器４０４とを有する。カメラ信号処理部から得られた映像信号又は輝度信号作成部から得られた輝度信号は、第１切換器４０２の一方の入力部に入力される。映像信号又は輝度信号は、減衰器４０１にも入力され、所定レベルに減衰されてから第１切換器４０２の他方の入力部に入力される。
【００５５】
第１切換器４０２は、光学レンズの焦点調整時であるとともに被写体がフォーカスエリア内であるときには、所定レベルに減衰した入力を選択し、光学レンズの焦点調整時でない又は被写体がフォーカスエリア外であるときには、減衰しない映像信号を選択するように切り換える。
【００５６】
第１切換器４０２で切り換えられた映像信号は、そのまま第２切換器４０４の一方の入力部に入力され、第２切換器４０４の他方の入力部には、混合器４０３で輪郭補正信号ＤＴＬを付加した映像信号が入力される。
【００５７】
第２切換器４０４は、光学レンズの焦点調整時であるときには、輪郭補正信号ＤＴＬを付加した信号を選択し、光学レンズの焦点調整時でないときには、輪郭補正信号ＤＴＬを付加しない信号を選択して出力する。減衰器４０１は、映像信号をデジタル信号で供給する場合にはシフトレジスタにより右シフトすることにより映像信号又は輝度信号を５０％減衰させることができる。
【００５８】
図５は、ＶＦ画面のフォーカスエリアを説明するための図である。図５において、一番外側の枠がＶＦの画面を表し、画面中央の実線の枠が光学レンズの焦点を合わせるためのフォーカスエリアを表す。
【００５９】
通常、被写体の撮りたい部分が画面の中央になるように撮影が行われるので、画面の中央部分をフォーカスエリアとする。フォーカスエリアは、点線部分のように可変にすることができ、画面最大まで拡張できるものとする。
【００６０】
図６は、画面の一部についての本発明による処理前後のＶＦ画面を示す図である。図６Ａに示す画面の中央部分をフォーカスエリアとして処理を行うことにより、図６Ｂに示すように枠内の輪郭補正部分が鮮明となる。
【００６１】
図６Ｂに示すような輪郭補正部分を取得するに際し、フォーカスエリア設定部のフォーカスリングをまわしている間又は機能ボタンを押している間をトリガとして、フォーカスエリアを規定するセンターウィンドウが現れ、ウィンドウ内のみ映像レベルを５０％程度（可変）に落とし、通常レベルの輪郭補正信号を混合した映像をセンターウィンドウに表示する。これによって、輪郭補正信号が強調され、フォーカスを設定しやすくなる。なお、ウィンドウのマーカのＯＮ／ＯＦＦ及びウィンドウの大きさは、テレビカメラを操作することによって設定することができる。
【００６２】
図７は、画面全体についての本発明による処理前後のＶＦ画面を示す図である。図７Ａに示す画面全体をフォーカスエリアとして処理を行うことにより、図７Ｂに示すように画面全体が鮮明となる。
【００６３】
本発明は、上記実施の形態に限定されるものではなく、幾多の変更及び変形が可能である。
例えば、上記第１〜３の実施の形態において、ビューファインダ表示回路及び方法を３板の放送用テレビカメラに用いた場合について説明したが、本発明によるビューファインダ表示回路及び方法を単板の放送用テレビカメラに用いることもできる。
【００６４】
また、上記第１〜３の実施の形態では、光学レンズの焦点調整時はレンズ制御部から出力するようにしたが、レンズ制御部からの出力がない場合にはテレビカメラの操作項目として焦点調整を設けて、光学レンズの焦点調整時の出力をテレビカメラ本体から出力するように構成することもできる。
【００６５】
上記第３の実施の形態において、ＧチャンネルでＶＦ処理を行う構成としたが、他のＲチャンネル又はＢチャンネルでも同様な処理を行うことができる。
【産業上の利用可能性】
【００６６】
本発明は、光学レンズを手動で回転し、ビューファインダの出力映像信号を見ながら光学レンズの焦点調整を行う放送用テレビカメラに有用である。また、本発明は、輪郭補正を行うテレビカメラにも有用であり、映像信号の輝度レベルが高く、輪郭補正部分が見づらい場合でも、焦点調整項目を設けてビューファインダ又はモニタテレビに撮影画像を見られるようにして焦点合わせを行うときに本発明を実施することにより、光学レンズの焦点調整が円滑になる。
【図面の簡単な説明】
【００６７】
【図１】本発明によるビューファインダ表示回路の第１の実施の形態のブロック図である。
【図２】本発明によるビューファインダ表示回路の第２の実施の形態のブロック図である。
【図３】本発明によるビューファインダ表示回路の第３の実施の形態のブロック図である。
【図４】ＶＦ処理部を詳細に示す図である。
【図５】ＶＦ画面のフォーカスエリアを説明するための図である。
【図６】画面の一部についての本発明による処理前後のＶＦ画面を示す図である。
【図７】画面全体についての本発明による処理前後のＶＦ画面を示す図である。
【図８】従来のビューファインダ表示回路のブロック図である。
【符号の説明】
【００６８】
１０１，２０１，３０１  Ｒチャンネル用ＣＣＤ
１０２，２０２，３０２  Ｇチャンネル用ＣＣＤ
１０３，２０３，３０３  Ｂチャンネル用ＣＣＤ
１０４，２０４，３０４  レンズ制御部
１０５，２０５，３０５  カメラ信号処理部
１０６，２０７，３０６  フォーカスエリア設定部
１０７，１０８，１０９，２０８，３０７  ＶＦ処理部
１１０，２０６  輝度信号作成部
１１１，２０９，３０８  映像切換器
１１２，２１０，３０９  カラーＶＦ
４０１  減衰器
４０２  第１切換器
４０３  混合器
４０４  第２切換器
【図１】
0004977047.tif 000002
【図２】
0004977047.tif 000003
【図３】
0004977047.tif 000004
【図４】
0004977047.tif 000005
【図５】
0004977047.tif 000006
【図８】
0004977047.tif 000007
【図６】
0004977047.tif 000008
【図７】
0004977047.tif 000009